(57)【要約】【課題】係止爪の強度を確保することで取付枠からの脱落を防止したＴＶコンセントを提供する。【解決手段】ＴＶコンセントは、表面側にＦ型接栓５１が接続される接続コネクタ３０を有するとともに、裏面側に同軸ケーブルが接続される端子部を有し、埋込型配線器具用に規格化された取付枠４０に取着されるカバー２０と、カバー２０に取着され、取付枠４０が備える複数の係止孔４６ａと嵌合する複数の係止爪６０ｂが設けられた一対の取付金具６０、６０とを備え、各取付金具６０は金属材料によりカバー２０と別体に設けられ、該カバー２０にそれぞれかしめ固定される。【選択図】図１
2010040206.tif 000002
【特許請求の範囲】
【請求項１】
表面側に同軸コネクタが接続される接続部を有するとともに、裏面側に同軸ケーブルが接続される端子部を有し、埋込型配線器具用に規格化された取付枠に取着される器体と、該器体に取着され、前記取付枠が備える複数の係止孔と嵌合する複数の係止爪が設けられた取付部材とを備え、前記取付部材は金属材料で形成されたことを特徴とするＴＶコンセント。
【請求項２】
前記器体は、前記接続部が設けられて前方に突出するボス部の両側に肩部を有し、前記取付部材は、前記各肩部に載置される一対の取付金具からなり、各取付金具はそれぞれ前記器体にかしめ固定されることを特徴とする請求項１記載のＴＶコンセント。
【請求項３】
前記器体は、前記接続部が設けられて前方に突出するボス部の両側に肩部を有し、前記取付部材は、前記肩部に載置される主片と、主片の両端からそれぞれ後方に延長される係合片と、各係合片の先端に設けられ互いに離れる方向に拡開可能な一対のかしめ片とを一体に備えた一対の取付金具からなり、前記器体の側面には、前記各係合片が配置される溝部が形成され、各取付金具は、各係合片の両かしめ片を互いに離れる方向に拡開して対応する前記溝部の端縁に係止させることで前記器体にかしめ固定されることを特徴とする請求項１記載のＴＶコンセント。
【請求項４】
前記器体は、前記接続部が設けられて前方に突出するボス部の両側に肩部を有し、前記取付部材は、前記各肩部に載置される主片と、両主片間を連結する連結片とを一体に備え、前記器体を挟み込むようにして該器体にかしめ固定されることを特徴とする請求項１記載のＴＶコンセント。
【請求項５】
前記器体と前記取付部材とを同時成形により一体化したことを特徴とする請求項１記載のＴＶコンセント。
【発明の詳細な説明】
【技術分野】
【０００１】
本発明は、ＴＶコンセントに関するものである。
【背景技術】
【０００２】
従来より、放送信号を受信するＴＶ受信器やビデオ機器を着脱可能に接続するために壁などの施工面に施工されるＴＶコンセントが提供されている（例えば特許文献１参照）。このＴＶコンセントは、ＪＩＳ規格において大角形連用配線器具として規格化されている１個モジュール寸法（大角形連用配線器具用の取付枠に最大３個まで取り付けることができる寸法）に形成されたカバーを備えている。このカバーは、合成樹脂成形品であって後面が開放された横長の略矩形箱状に形成され、カバーの長手方向（取付時に取付枠の幅方向に沿う方向）両側には、取付枠の幅方向両側に設けた各係止孔と嵌合する係止爪がそれぞれ一体に形成されており、各係止爪を対応する係止孔にそれぞれ嵌合させることでＴＶコンセントが取付枠に取り付けられるようになっている。
【特許文献１】特許第３６８０６６７号公報（段落［００２２］−段落［００４６］、及び、第１図−第６図）
【発明の開示】
【発明が解決しようとする課題】
【０００３】
上述の特許文献１に示したＴＶコンセントでは、同軸コネクタが接続された状態において施工面から出っ張っているため、この同軸コネクタを介してＴＶコンセントに強い力が加えられる場合があるが、本例のＴＶコンセントは上記の係止爪を合成樹脂によりカバーと一体成形しているため、同軸コネクタから加えられる力により係止爪が折れ、ＴＶコンセントが取付枠から脱落する可能性があった。
【０００４】
本発明は上記問題点に鑑みて為されたものであり、その目的とするところは、係止爪の強度を確保することで取付枠からの脱落を防止したＴＶコンセントを提供することにある。
【課題を解決するための手段】
【０００５】
請求項１の発明は、表面側に同軸コネクタが接続される接続部を有するとともに、裏面側に同軸ケーブルが接続される端子部を有し、埋込型配線器具用に規格化された取付枠に取着される器体と、該器体に取着され、取付枠が備える複数の係止孔と嵌合する複数の係止爪が設けられた取付部材とを備え、取付部材は金属材料で形成されたことを特徴とする。
【０００６】
請求項２の発明は、器体は、接続部が設けられて前方に突出するボス部の両側に肩部を有し、取付部材は、各肩部に載置される一対の取付金具からなり、各取付金具はそれぞれ器体にかしめ固定されることを特徴とする。
【０００７】
請求項３の発明は、器体は、接続部が設けられて前方に突出するボス部の両側に肩部を有し、取付部材は、肩部に載置される主片と、主片の両端からそれぞれ後方に延長される係合片と、各係合片の先端に設けられ互いに離れる方向に拡開可能な一対のかしめ片とを一体に備えた一対の取付金具からなり、器体の側面には、各係合片が配置される溝部が形成され、各取付金具は、各係合片の両かしめ片を互いに離れる方向に拡開して対応する溝部の端縁に係止させることで器体にかしめ固定されることを特徴とする。
【０００８】
請求項４の発明は、器体は、接続部が設けられて前方に突出するボス部の両側に肩部を有し、取付部材は、各肩部に載置される主片と、両主片間を連結する連結片とを一体に備え、器体を挟み込むようにして該器体にかしめ固定されることを特徴とする。
【０００９】
請求項５の発明は、器体と取付部材とを同時成形により一体化したことを特徴とする。
【発明の効果】
【００１０】
請求項１の発明によれば、取付部材を金属材料で形成することによって係止爪の強度を確保することができるので、器体の前面に強い力が加えられた場合でも係止爪が折れることがなく、その結果ＴＶコンセントが取付枠から脱落するのを防止することができるという効果がある。
【００１１】
請求項２の発明によれば、金属材料により別体に設けた取付金具を器体にかしめ固定することができる。
【００１２】
請求項３の発明によれば、請求項２と同様に、金属材料により別体に設けた取付金具を器体にかしめ固定することができる。
【００１３】
請求項４の発明によれば、取付部材を１つの部品で構成しているので、請求項２、３に比べて部品点数を削減できるとともに、組立作業性の低下を抑えることができるという効果がある。
【００１４】
請求項５の発明によれば、器体と取付部材とを同時成形により一体化することで取付部材の器体への取付作業がなくなるから、組立作業性を向上させることができ、また請求項２〜４の発明のように器体へのかしめ部分を取付部材に設けなくてもいいから、コストダウンを図ることもできるという効果がある。
【発明を実施するための最良の形態】
【００１５】
以下に本発明に係るＴＶコンセントの実施形態を図面に基づいて説明する。本発明に係るＴＶコンセントは、例えばＴＶ受信器やビデオ機器などの同軸ケーブルが接続される映像信号中継用のコンセントであって、ＪＩＳ等で規格化された埋込型配線器具用の取付枠に取着されて、壁面などの造営材に埋込配設される。なお、以下の説明では特に断りがない限り、図３（ａ）中の矢印ａ−ｂの方向を前後方向、矢印ｃ−ｄの方向を上下方向、矢印ｅ−ｆの方向を左右方向として説明する。
【００１６】
（実施形態１）
図２（ａ）は実施形態１のＴＶコンセントの分解斜視図であり、導電材料である板金により形成された出力端子枠１１および入力端子枠１２を結合することで形成される筐体１０と、筐体１０が収納される合成樹脂成形品のカバー２０（器体）と、カバー２０に取着される２個１組の取付金具６０、６０とを備えている。
【００１７】
出力端子枠１１は、横長の矩形板状の主片１１ａを有し、主片１１ａの左右方向両端部には、それぞれ主片１１ａと略直交する形で後方に延出する側片１１ｂ、１１ｂがＬ字状の連結片１１ｉ、１１ｉを介してそれぞれ一体に設けられている。また、主片１１ａの上下方向両端縁には、側片１１ｂと同じ方向（すなわち後方）に延出する各一対の接触片１１ｃ、１１ｃがそれぞれ設けられ、各側片１１ｂの先端縁には各一対の組立片１１ｄ、１１ｄがそれぞれ延長されている。さらに、主片１１ａの中央部には、出力端子としての接続コネクタ３０（接続部）を構成する外側導体３１が結合されている。なお、上記の連結片１１ｉは、カバー２０に取着された取付金具６０の係合片６０ｃと接触しないようにＬ字状に形成することで、係合片６０ｃとの間に隙間が設けられている。
【００１８】
接続コネクタ３０は、円筒状に形成され外周面にねじ部（図示せず）を有する外側導体３１と、外側導体３１の中心線に沿って配置される内側導体３２と、外側導体３１と内側導体３２との間を絶縁する内部絶縁体３３とからなり、外側導体３１の軸方向の一端部（後端部）が出力端子枠１１の主片１１ａに結合されるようになっており、例えば溶接やかしめにより固着される。なお、外側導体３１に形成される中心孔３１ｅは、内部絶縁体３３が挿通可能な大きさに設けられている。
【００１９】
外側導体３１とともに接続コネクタ３０を構成する内側導体３２は、入力側の信号線となる同軸ケーブルの中心導体を保持する接触ばね３４と連続一体に形成されている。内側導体３２は、図２（ａ）に示すように、互いに対向する一対の受け片３２ａ、３２ａの一端部の側縁間を連結片３２ｂを介して連結した形状に形成され、両受け片３２ａ、３２ａの間でＦ型接栓の中心コンタクトを保持するようになっている。ここにおいて、両受け片３２ａ、３２ａは、中間部において互いの間隔が最も狭くなるように曲成されており、Ｆ型接栓の中心コンタクトを両受け片３２ａ、３２ａの間に挿入する際に中心コンタクトが両受け片３２ａ、３２ａの間に入り易く、且つ、両受け片３２ａ、３２ａから中心コンタクトに対して十分な接触圧が作用するようになっている。
【００２０】
連結片３２ｂは前後方向に延長されており、連結片３２ｂの先端縁からは連結片３２ｂに直交し、且つ、出力端子枠１１の主片１１ａに平行に第１接続片３５ａが延長されている。さらに、第１接続片３５ａの先端縁からは、第１接続片３５ａおよび出力端子枠１１の主片１１ａに直交する第２接続片３５ｂが主片１１ａに沿って延長されている。また、第２接続片３５ｂの先端部からは、第２接続片３５ｂの面内で出力端子枠１１の主片１１ａに直交する連結片３４ａが延長され、この連結片３４ａは接触ばね３４を構成する一対の受け片３４ｂ（図２（ａ）では一方のみ図示）の端縁間を連結している。ここにおいて、上記の第１接続片３５ａおよび第２接続片３５ｂが内側導体３２と接触ばね３４との間の信号経路を構成している。
【００２１】
接触ばね３４の受け片３４ｂは、内側導体３２の受け片３２ａと同様に、互いに対向するように配置され、中間部において互いの間隔が狭くなるように曲成されている。この接触ばね３４には裏面側から配線された同軸ケーブル（図示せず）の中心導体が挟持されるようになっており、また内側導体３２へのＦ型接栓の中心コンタクトの挿入方向と、接触ばね３４への同軸ケーブルの中心導体の挿入方向とが直交するようになっている。
【００２２】
外側導体３１と内側導体３２を絶縁する内側絶縁体３３は、絶縁材料である合成樹脂により形成される。この内側絶縁体３３は円筒状であって、出力端子枠１１の主片１１ａに重なるように配置される板状のセパレータ１３と同時一体に形成されている。すなわち、内部絶縁体３３はセパレータ１３の厚み方向の一面（前面）に突設されている。また、セパレータ１３には内部絶縁体３３の中心孔に連通する挿入孔（図示せず）が貫設されており、内側導体３２はこの挿入孔を通して内部絶縁体３３の内部に配置され、第１接続片３５ａおよび第２接続片３５ｂはセパレータ１３の裏面に沿って配置される。ここにおいて、セパレータ１３には第２接続片３５ｂの配置部位に沿って絶縁リブ１３ｄが突設され、入力端子枠１２を出力端子枠１１に結合したときに、第２接続片３５ｂと入力端子枠１２との間に絶縁リブ１３ｄが介在するようになっている。
【００２３】
また、セパレータ１３の右側端縁には、カバー２０の内周面に形成された係合リブ２８を逃がすための矩形状の切欠１３ｅが形成され、セパレータ１３の上下方向両端縁にはそれぞれ位置決め突片１３ｆ、１３ｆが突設されている。さらに、セパレータ１３の四隅には、出力端子枠１１に設けた接触片１１ｃに係止されることによって、出力端子枠１１とセパレータ１３とを位置決めする位置決め切欠１３ｇが形成されている。
【００２４】
出力端子枠１１に結合される入力端子枠１２は、横長の矩形板状の主片１２ａを有し、主片１２ａの上下方向両端縁にはそれぞれ前方に延出する側片１２ｂ、１２ｂが一体に設けられている。この入力端子枠１２の長手寸法は出力端子枠１１の長手寸法よりも大きく設定されており、入力端子枠１２の主片１２ａには出力端子枠１１に設けた各組立片１１ｄが挿通される複数（図２（ａ）では３個のみ図示）の組立孔１２ｃが形成されている。各組立孔１２ｃはそれぞれ切り起こし片１２ｄを残して形成され、各組立片１１ｄを対応する組立孔１２ｃにそれぞれ挿通し、組立片１１ｄを切り起こし片１２ｄに重ねて折曲することにより、入力端子枠１２が出力端子枠１１にかしめ固定される。ここに、入力端子枠１２が出力端子枠１１に結合された状態では、出力端子枠１１に設けた接触片１１ｃが入力端子枠１２の側片１２ｂに圧接することにより、出力端子枠１１と入力端子枠１２とが同電位になるように電気的に接続される。なお、出力端子枠１１と入力端子枠１２との電気的接続状態を安定させ且つ機械的結合強度を高めるために、接触片１１ｃには側片１２ｂに圧接するダボ１１ｇが打ち出されている。
【００２５】
また、各側片１２ｂの先端縁には、セパレータ１３に設けた位置決め突片１３ｆが係合する位置決め凹部１２ｅがそれぞれ形成され、各位置決め突片１３ｆと対応する位置決め凹部１２ｅとが係合することによって、セパレータ１３に対する入力端子枠１２の位置決めがなされる。さらに、各側片１２ｂの左右方向両端縁には、カバー２０に取着された取付金具６０の係合片６０ｃと接触しないように切欠１２ｊ、１２ｊが形成されている。また、入力端子枠１２の主片１２ａの左右方向両端縁には、筐体１０（出力端子枠１１および入力端子枠１２）がカバー２０に収納されたときにカバー２０に対する位置決めを行う固定突片１２ｆが突設され、各側片１２ｂには筐体１０がカバー２０に収納されたときにカバー２０に係止される抜止片１２ｇが切り起こしによって２個ずつ形成されている。
【００２６】
ところで、入力端子枠１２は、入力側の信号線となる同軸ケーブル（図示せず）を機械的に保持するとともに、同軸ケーブルの外側導体を電気的に接続する機能を有する。すなわち、入力端子枠１２には同軸ケーブルを主片１２ａとの間で挟持する押さえ体１４（図４（ｂ）参照）が取り付けられる。さらに詳しく説明すると、主片１２ａにおいて接触ばね３４に対応する部位には開口窓１２ｈが設けられ、開口窓１２ｈの両側縁には開口窓１２ｈの開口面に直交する形でそれぞれ軸受片１２ｉ、１２ｉが突設されている。これらの軸受片１２ｉ、１２ｉはそれぞれ後方に突設されており、押さえ体１４が入力端子枠１２に対して起伏自在となるように両軸受片１２ｉ、１２ｉに軸支される。そして、押さえ体１４は、入力端子枠１２の主片１２ａに設けたねじ孔（図示せず）に固定ねじ１５を螺合させることによって、入力端子枠１２に対して固定されるようになっている。
【００２７】
而して、入力側の同軸ケーブルを入力端子枠１２に固定するには、まず固定ねじ１５を緩め、押さえ体１４の押さえ部１４ａを主片１２ａから離した状態で同軸ケーブルを押さえ部１４ａと主片１２ａとの間に導入した後、固定ねじ１５を締め付ければ、同軸ケーブルが押さえ部１４ａと主片１２ａとの間に挟持される。ここで、同軸ケーブルの外側導体を露出させ、この露出部位を押さえ部１４ａと主片１２ａとの間に挟持させることで、同軸ケーブルの外側導体を入力端子枠１２に電気的に接続することができる。ここに、入力端子枠１２、押さえ体１４および接触ばね３４により端子部が構成されている。
【００２８】
上述した開口窓１２ｈには接触ばね３４を覆う端子台１６ａが挿入される。端子台１６ａは合成樹脂成形品である端子カバー１６の一部を構成しており、セパレータ１３に結合される端子カバー本体１６ｂと連続一体に形成されている。端子カバー本体１６ｂは前面側が開口する横長の略矩形箱状に形成され、端子カバー本体１６ｂの底面から端子台１６ａが後方に突設されている。また、端子カバー本体１６ｂの開口端縁の四隅には脚部１６ｃがそれぞれ突設されている。さらに、端子カバー本体１６ｂにはセパレータ１３との対向面に押さえ脚１６ｇが突設され、押さえ脚１６ｇはセパレータ１３に載置されている第１接続片３５ａをセパレータ１３との間に挟持することによって、第１接続片３５ａの浮き上がりを防止する。
【００２９】
端子台１６ａの下側の側面には楕円状に開放された導入孔（図示せず）が形成され、上側の側面には矩形状の露出孔１６ｅが形成されている。導入孔は端子台１６ａに内蔵された接触ばね３４に対応する部位に形成され、導入孔に同軸ケーブルの中心導体を挿入すると、中心導体が接触ばね３４の一対の受け片３４ｂ、３４ｂ間に挟持されるようになっている。また、中心導体の露出部位が長い場合には、外部に露出した余剰分を露出孔１６ｅの端面に沿ってカットすることにより端子台１６ａの内部に収納できるようになっている。
【００３０】
ここにおいて、端子カバー本体１６ｂの上側の側壁は、端子台１６ａが入力端子枠１２の開口窓１２ｈに挿入された状態で接触ばね３４と入力端子枠１２の側片１２ｂとの間に介在し、同軸ケーブルの中心導体を接触ばね３４に挿入する際の力が接触ばね３４に作用して接触ばね３４が移動しても、接触ばね３４が入力端子枠１２に接触するのを防止できるようになっている。
【００３１】
筐体１０（出力端子枠１１および入力端子枠１２）を収納するカバー２０は、例えばＪＩＳ規格において大角形連用配線器具として規格化されている１個モジュール寸法に形成されている。ここに、１個モジュール寸法とは、壁面などの施工面に取り付けられる大角形連用配線器具用の取付枠に最大３個まで取り付けることができる寸法であり、本実施形態のカバー２０は上記の取付枠に最大３個まで取り付けることができるようになっている。
【００３２】
カバー２０は、前面の中央部に突台部２０ａ（ボス部）が突設され、突台部２０ａの左右方向両側に肩部２０ｂが形成された形状を有し、カバー２０の後面は入力端子枠１２の主片１２ａの外形寸法と略同寸法の矩形状に開放されている。また、突台部２０ａの前面中央部には円形に開口する導入穴２１が形成され、導入穴２１の底面中央部には円形の挿入孔２２（図２（ｂ）参照）が形成されている。そして、上述した筐体１０がカバー２０に収納された状態では、挿入孔２２から導入された接続コネクタ３０が導入穴２１の内部に配置されるようになっている。さらに、カバー２０の各肩部２０ｂにおいて上下方向両側壁には、後述する取付金具６０の各係合片６０ｃの先端部がそれぞれ挿通される矩形状の貫通孔２０ｃ、２０ｃがそれぞれ貫設されている。
【００３３】
また、カバー２０において上下方向両側壁には、入力端子枠１２に設けた抜止片１２ｇが係合する抜止孔２５がそれぞれ２個ずつ形成されている。ここに、上記の抜止片１２ｇは前端部が入力端子枠１２に連続する形で切り起こされているから、カバー２０に筐体１０が収納された状態で抜止片１２ｇを抜止孔２５に係合させることで、カバー２０に対する筐体１０の後方への移動が阻止される。さらに、カバー２０の後面側の開口周縁には入力端子枠１２に設けた固定突片１２ｆが係合可能な固定溝２６（図２（ｂ）参照）が形成され、固定突片１２ｆを固定溝２６に係合させることによって、入力端子枠１２のカバー２０に対するがたつきが防止される。
【００３４】
一方、カバー２０の内周面には、固定溝２６に連続して形成され、出力端子枠１１の連結片１１ｉが載置される補強リブ２７が形成され、さらに一方（図２（ｂ）中の右側）の補強リブ２７に連続して係合リブ２８が設けられている。この係合リブ２８は、出力端子枠１１において主片１１ａと連結片１１ｉとに跨る部位に形成された係合溝１１ｈに係合し、カバー２０に対して出力端子枠１１を位置決めするようになっている。なお、本実施形態の出力端子枠１１では、上記の係合リブ２８と係合する係合溝１１ｈが左右両側に設けられており、カバー２０に対して出力端子枠１１を左右反対に取り付けた場合でも取り付けられるようになっている。
【００３５】
取付金具６０は金属材料により形成され、カバー２０の各肩部２０ｂの前面に載置される縦長の主片６０ａと、主片６０ａの上下方向両端部から後方に突出する係合片６０ｃ、６０ｃとを備えている。また、主片６０ａの幅方向（左右方向）一端側には側方に突出する２個１組の係止爪６０ｂ、６０ｂが上下方向に所定の間隔を空けて設けられており、各係合片６０ｃの先端部にはダボ６０ｄがそれぞれ打ち出されている。なお、取付金具６０に設けられた係止孔６０ｅは金属製の取付枠を用いた場合に使用されるものであり、取付枠に設けられた係止爪（図示せず）を対応する係止孔６０ｅに係止させることで、ＴＶコンセントが金属製の取付枠に取り付けられるようになっている。すなわち、本実施形態の取付金具６０によれば、係止孔６０ｅを用いることでＴＶコンセントを金属製の取付枠に取り付けることができ、係止爪６０ｂ、６０ｂを用いることでＴＶコンセントを樹脂製の取付枠に取り付けることができる。ここに、本実施形態では、２個１組の取付金具６０、６０により取付部材が構成されている。
【００３６】
次に、取付金具６０のカバー２０への取付手順について説明する。各取付金具６０の主片６０ａをそれぞれ対応する肩部２０ｂの前面に載置した状態から、各係合片６０ｃの先端部をそれぞれ対応する貫通孔２０ｃを通して内側に折り曲げると、肩部２０ｂの前面が主片６０ａと各係合片６０ｃの先端部との間で挟持され、取付金具６０がカバー２０にかしめ固定される（図２（ｂ）参照）。なおこのとき、各係合片６０ｃの先端部に設けたダボ６０ｄによりカバー２０と取付金具６０とが圧接し、カバー２０に対する取付金具６０のがたつきが防止される。
【００３７】
さらに、本実施形態のＴＶコンセントの組立手順について説明する。まず、筐体１０の組み立てについて説明する。外側導体３１の中心孔３１ｅにセパレータ１３と同時一体に形成した内部絶縁体３３を挿入するようにして、出力端子枠１１にセパレータ１３を装着する。このとき、セパレータ１３に設けた各位置決め切欠１３ｇが出力端子枠１１の対応する接触片１１ｃにそれぞれ係合することでセパレータ１３が位置決めされる。次に、接触ばね３４と連続一体に形成されている内側導体３２をセパレータ１３に設けた挿入孔に挿入し、第１接続片３５ａおよび第２接続片３５ｂを所定位置に配置した後、端子カバー１６の端子台１６ａを接触ばね３４に被せるとともに、押さえ脚１６ｇを第１接続片３５ａ上に載置して、端子カバー１６を所定位置に配置する。
【００３８】
さらに、押さえ体１４を取り付けた入力端子枠１２を、セパレータ１３、接触ばね３４および端子カバー１６が組み付けられた出力端子枠１１に装着し、各組立孔１２ｃに対応する組立片１１ｄを挿通させた状態で切り起こし片１２ｄを叩くと、組立片１１ｄが折曲されることで入力端子枠１２が出力端子枠１１にかしめ固定され、筐体１０の組み立てが完了する。そして最後に、筐体１０をカバー２０に装着し、各抜止片１２ｇを対応する抜止孔２５にそれぞれ係合させると、ＴＶコンセントの組み立てが完了する（図３（ａ）参照）。なおこのとき、出力端子枠１１の一方の係合溝１１ｈにカバー２０の係合リブ２８が係合することにより、カバー２０に対して筐体１０が位置決めされる。
【００３９】
ここで、本実施形態のＴＶコンセントを施工する際には、図１に示す大角形連用配線器具用の合成樹脂製取付枠４０を用いる。この取付枠４０は、左右一対の側枠４１、４２の上下両端間をそれぞれ上枠４３ａと下枠４３ｂとにより連結した矩形枠状に形成され、側枠４１、４２と上枠４３ａおよび下枠４３ｂとにより囲まれた取付窓４４にカバー２０の突台部２０ａが挿入される。また、一方（右側）の側枠４１には可撓板４５が延設され、可撓板４５に設けた３個の操作片４５ａと側枠４１との間にはカバー２０に取着された取付金具６０に設けた２個１組の係止爪６０ｂ、６０ｂが挿入される２個１組の係止孔４６ａ、４６ａがそれぞれ形成されている。さらに、他方（左側）の側枠４２にも２個１組の係止爪６０ｂ、６０ｂが挿入される２個１組の係止孔４６ａ、４６ａが上下方向に３組形成されている。したがって、側枠４２側の係止孔４６ａ、４６ａにカバー２０の一方の係止爪６０ｂ、６０ｂを挿入し、その後、側枠４１と可撓板４５との間の係止孔４６ａ、４６ａにカバー２０の他方の係止爪６０ｂ、６０ｂを挿入すれば、カバー２０が取付枠４０に結合されるのである。逆に取付枠４０からカバー２０を取り外すには、マイナスドライバーのような工具を用いて操作片４５ａをカバー２０から離れる向きに撓ませればよい。
【００４０】
また、上枠４３ａおよび下枠４３ｂには横長のボックス孔４７が貫設され、施工面に埋込配設された埋込ボックス（図示せず）に取付枠４０を取り付ける際には、ボックス孔４７に挿通されるボックスねじを埋込ボックスに螺合させる。また、ボックス孔４７の左右両側には引掛孔４８、４８が形成される。この引掛孔４８は、壁パネルのようなパネル材に取付枠４０を取り付ける際に、挟み金具（図示せず）の一端部を引掛孔４８に挿入して挟み金具を取付枠４０に枢支するために用いられる。さらに、ボックス孔４７の近傍にはねじ孔４９も形成されており、このねじ孔４９はプレートなどをねじによって取付枠４０に結合する際に用いられる。
【００４１】
さらに、施工面に埋込配設されたＴＶコンセントには、図１に示すように前面側から同軸ケーブル５０が接続されるようになっている。この同軸ケーブル５０の先端部にはＦ型接栓５１（同軸コネクタ）が取り付けられており、ＴＶコンセント側の接続コネクタ３０を構成する外側導体３１に設けたねじ部にＦ型接栓５１に設けたスリーブ５２を螺合させることによって、同軸ケーブル５０が接続コネクタ３０に接続されることになる。
【００４２】
而して、本実施形態によれば、取付金具６０を金属材料で形成することによって係止爪６０ｂの強度を確保することができるので、ＴＶコンセントを構成するカバー２０の前面に強い力が加えられた場合でも係止爪６０ｂが折れることがなく、その結果ＴＶコンセントが取付枠４０から脱落するのを防止することができる。
【００４３】
なお、本実施形態の筐体１０の内部に分岐回路を構成したプリント基板を内蔵してもよい。また、本実施形態のＴＶコンセントは、裏面側に配線された同軸ケーブルをねじ固定する端子部（入力端子枠１２、押さえ体１４および接触ばね３４）を備えたものであるが、例えば図３（ｂ）に示すように、筐体がダイカストケースで形成され、同軸ケーブルに設けたＦ型接栓が接続されるコネクタ部１００を備えたＴＶコンセントであってもよく、この場合も同様に取付金具６０を金属材料によりカバー２０と別体に設けることで、取付枠４０からの脱落を防止したＴＶコンセントを実現することができる。
【００４４】
（実施形態２）
図４（ａ）および図４（ｂ）は実施形態２のＴＶコンセントを示し、実施形態１ではカバー２０を構成する肩部２０ｂの前面を取付金具６０の主片６０ａと係合片６０ｃの先端部との間で挟み込むことで取付金具６０をカバー２０にかしめ固定しているが、本実施形態では取付金具７０の係合片７０ｃの先端部に設けた一対のかしめ片７０ｄ、７０ｄと主片７０ａとの間で肩部２０ｂを挟み込むことで取付金具７０をカバー２０にかしめ固定している。なお、それ以外の構成については実施形態１と同様であり、同一の構成要素には同一の符号を付して説明は省略する。
【００４５】
本実施形態の取付金具７０は金属材料により形成され、カバー２０の各肩部２０ｂの前面に載置される縦長の主片７０ａと、主片７０ａの上下方向両端部から後方に突出する係合片７０ｃ、７０ｃとを備えている。また、主片７０ａの幅方向（左右方向）一端側には、側方に突出する２個１組の係止爪７０ｂ、７０ｂが上下方向に所定の間隔を空けて設けられており、各係合片７０ｃの先端部には、二股に分かれたかしめ片７０ｄ、７０ｄが設けられている。なお、各係合片７０ｃのかしめ片７０ｄ、７０ｄは、互いに離れる方向に拡開可能に設けられている（図４（ｃ）参照）。ここに、本実施形態では、２個１組の取付金具７０、７０により取付部材が構成されている。
【００４６】
一方、カバー２０を構成する各肩部２０ｂの上下方向両側壁には、取付金具７０の係合片７０ｃが配置される溝部２０ｄが前後方向に沿って形成されている。なお、各溝部２０ｄは、後面側の幅寸法が他の部位よりも幅広となる略Ｔ字状に形成されている。
【００４７】
次に、取付金具７０のカバー２０への取付手順について説明する。まず、各取付金具７０の主片７０ａをそれぞれ対応する肩部２０ｂの前面に載置する。このとき、各係合片７０ｃは、それぞれ対応する溝部２０ｄ内に配置される。その後、各係合片７０ｃの先端部に設けられた両かしめ片７０ｄ、７０ｄを互いに離れる方向に拡開させると、図４（ｂ）に示すように各かしめ片７０ｄがそれぞれ上記溝部２０ｄの端縁で係止され、その結果、各主片７０ａと両かしめ片７０ｄ、７０ｄとの間で対応する肩部２０ｂが挟持されることで取付金具７０がカバー２０にかしめ固定される（図４（ａ）および図４（ｂ）参照）。
【００４８】
而して、本実施形態によれば、実施形態１と同様に、取付金具７０を金属材料で形成することによって係止爪７０ｂの強度を確保することができるので、ＴＶコンセントを構成するカバー２０の前面に強い力が加えられた場合でも係止爪７０ｂが折れることがなく、その結果ＴＶコンセントが取付枠４０から脱落するのを防止することができる。
【００４９】
（実施形態３）
図５（ａ）および図５（ｂ）は実施形態３のＴＶコンセントを示し、実施形態１、２では取付部材を２個１組の取付金具６０、６０（または取付金具７０、７０）で構成しているが、本実施形態では取付部材を１つの取付金具８０で構成している。なお、それ以外の構成については実施形態１と同様であり、同一の構成要素には同一の符号を付して説明は省略する。
【００５０】
本実施形態の取付金具８０は金属製であって、図５（ｃ）に示すようにカバー２０の各肩部２０ｂの前面に載置される縦長の主片８０ａと、両主片８０ａ、８０ａ間を連結する連結片８０ｃとを一体に備えた矩形枠状に形成されている。また、各主片８０ａには側方に突出する２個１組の係止爪８０ｂ、８０ｂがそれぞれ一体に設けられ、さらに各連結片８０ｃにはコ字状の係合片８０ｄがそれぞれ一体に設けられている。ここに、本実施形態では、取付金具８０により取付部材が構成されている。
【００５１】
一方、カバー２０には、取付状態において取付金具８０を構成する連結片８０ｃ、８０ｃおよび両係合片８０ｄ、８０ｄが配置される部位に溝部２０ｅが形成されるとともに、各係合片８０ｄの枠内に挿入される突起２０ｆが形成されている。
【００５２】
次に、取付金具８０のカバー２０への取付手順について説明する。まず、取付金具８０の開口窓８０ｆ内にカバー２０の突台部２０ａを挿入し、取付金具８０の各主片８０ａをそれぞれ対応する肩部２０ｂの前面に載置する。そして、各係合片８０ｄおよび各連結片８０ｃをそれぞれ後面側（図５（ｂ）中の下側）に折り曲げた後、各係合片８０ｄのかしめ片８０ｅをそれぞれ前面側に折り曲げて突起２０ｆの後面に設けた凹部２０ｇに係止させると、各連結片８０ｃとかしめ片８０ｅとの間で対応する突起２０ｆが挟持されることで取付金具８０がカバー２０にかしめ固定される（図５（ａ）および図５（ｂ）参照）。
【００５３】
而して、本実施形態によれば、取付部材を１つの取付金具８０で構成しているので、実施形態１、２のように取付部材を２個１組の取付金具６０、６０（または取付金具７０、７０）で構成した場合に比べて部品点数を削減できるとともに、組立作業性の低下を抑えることができる。
【００５４】
なお、上述した取付金具８０の形状は一例であって、１つの取付金具によりカバー２０にかしめ固定できるような形状であれば他の形状であってもよい。
【００５５】
（実施形態４）
図６（ａ）および図６（ｂ）は実施形態６のＴＶコンセントを示し、実施形態１〜３では取付金具をカバー２０にかしめ固定することで一体化しているが、本実施形態では別体に設けたカバー２０と取付金具９０とを同時成形することで一体化している。なお、それ以外の構成については実施形態１と同様であり、同一の構成要素には同一の符号を付して説明は省略する。
【００５６】
本実施形態の取付金具９０は金属材料により形成され、カバー２０の各肩部２０ｂの前面に載置される縦長の主片９０ａと、主片９０ａの上下方向両端部から後方に突出する係合片９０ｃ、９０ｃとを備えている。また、主片９０ａの幅方向（左右方向）一端側には側方に突出する２個１組の係止爪９０ｂ、９０ｂが上下方向に所定の間隔を空けて設けられている。ここに、本実施形態では、２個１組の取付金具９０、９０により取付部材が構成されている。
【００５７】
そして、カバー２０を成形する成形型（図示せず）の所定位置に各取付金具９０をそれぞれ配置した後、成形型に合成樹脂を流し込むことで両取付金具９０、９０とカバー２０とが一体化される。
【００５８】
而して、本実施形態によれば、カバー２０と両取付金具９０、９０とを同時成形により一体化することで各取付金具９０のカバー２０への取付作業がなくなるから、組立作業性を向上させることができ、また実施形態１〜３のようにカバー２０へのかしめ部分を取付部材に設けなくてもいいから、コストダウンを図ることもできる。
【００５９】
なお、本実施形態では２個１組の取付金具９０をカバー２０と同時成形した場合を例に説明したが、例えば実施形態３で説明した取付金具８０のように１つの部品として構成したものを用いてカバー２０と同時成形するように構成してもよい。
【図面の簡単な説明】
【００６０】
【図１】実施形態１のＴＶコンセントを取付枠に取着した状態の斜視図である。
【図２】（ａ）は同上の分解斜視図、（ｂ）は同上を構成するカバーの背面斜視図である。
【図３】（ａ）は同上の斜視図、（ｂ）は同上の別の例を示す斜視図である。
【図４】（ａ）は実施形態２のＴＶコンセントの斜視図、（ｂ）は同上の側面図、（ｃ）は同上に用いられる取付金具の側面図である。
【図５】（ａ）は実施形態３のＴＶコンセントの斜視図、（ｂ）は同上の側面図、（ｃ）は同上に用いられる取付金具の正面図である。
【図６】実施形態４のＴＶコンセントを示し、（ａ）は斜視図、（ｂ）は側面図である。
【符号の説明】
【００６１】
２０  カバー（器体）
３０  接続コネクタ（接続部）
４０  取付枠
４６ａ  係止孔
６０  取付金具（取付部材）
６０ｂ  係止爪
５１  Ｆ型接栓（同軸コネクタ）
【図１】
2010040206.tif 000003
【図２】
2010040206.tif 000004
【図３】
2010040206.tif 000005
【図４】
2010040206.tif 000006
【図５】
2010040206.tif 000007
【図６】
2010040206.tif 000008